(57)【特許請求の範囲】
【請求項１】
複数系統の伝送線を有する火災受信機と、上記伝送線を介して上記火災受信機と接続され、伝送線の短絡状態を検出するショートサーキットアイソレータとを備えた火災報知設備において、
上記ショートサーキットアイソレータは、
上記ショートサーキットアイソレータの二次側の伝送線の短絡状態を検出する短絡状態検出手段と；
伝送線の短絡状態を検出したときに、上記ショートサーキットアイソレータの二次側の伝送線を切り離す二次側伝送線切り離し手段と；
上記ショートサーキットアイソレータの二次側の伝送線の短絡が解消したときに、上記ショートサーキットアイソレータの二次側の伝送線を切り離した状態で、上記二次側の伝送線の短絡が解消したことを示す短絡解消信号を火災受信機に出力する短絡解消信号出力手段と；
を有し、
上記火災受信機は、
上記短絡解消信号を受信する短絡解消信号受信手段と；
上記短絡解消信号受信手段が上記短絡解消信号を受信すると、上記二次側の伝送線の短絡が解消したことを示すショートサーキットアイソレータ回復表示を行うショートサーキットアイソレータ回復表示手段と；
作業員によるスイッチ操作によって、上記ショートサーキットアイソレータが接続されている系統の伝送線を電源遮断および再投入を行うための復帰手段と；
を有し、上記ショートサーキットアイソレータは、上記復帰手段によって、上記ショートサーキットアイソレータの二次側の伝送線と一次側の伝送線とを接続することを特徴とする火災報知設備。
【請求項２】
請求項１において、
上記火災受信機は、上記復帰手段によって上記電源遮断および再投入を行ってから、所定時間のみ、伝送を行わないことを特徴とする火災報知設備。
【発明の詳細な説明】
【技術分野】
【０００１】
本発明は、ＳＣＩ（ショートサーキットアイソレータ）が作動から回復したことを火災受信機に通知した後に、作業員を介した火災受信機の操作によって、ＳＣＩを復帰できるようにした火災報知設備に関する。
【背景技術】
【０００２】
従来のＳＣＩは、ＳＣＩの二次側の伝送線が短絡したことを検出すると、ＳＣＩの二次側の伝送線と一次側の伝送線とを切り離し、その短絡が解消されても、ＳＣＩの二次側の伝送線と一次側の伝送線とを切り離した状態を維持する。したがって、作業員が現場に出向き、ＳＣＩを復帰させている。
【０００３】
また、ＳＣＩの二次側の伝送線が短絡した場合、ＳＣＩの一次側の伝送線と二次側の伝送線とを切り離し、その後に、二次側の伝送線の短絡が解消されると、ＳＣＩが自動復帰する火災報知設備が知られている（たとえば、特許文献１参照）。
【特許文献１】特開平１０−００３５８９号公報
【発明の開示】
【発明が解決しようとする課題】
【０００４】
上記従来例においては、ＳＣＩが作動し、伝送線を切り離した場合、ＳＣＩが設置されている現地まで作業員が足を運び、伝送線の状態を確認して復旧させる必要がある。
【０００５】
しかし、ＳＣＩの設置場所によっては、容易に立ち入ることができない場所に設置されていることがあり、この場合には、復旧作業に長時間を要することがあるという問題がある。
【０００６】
また、上記従来例では、自動復帰したとしても、作業員が、ＳＣＩの状態変化や、システム状態等を認識することができないという問題がある。
【０００７】
本発明は、作業員を介した火災受信機の操作によって、ＳＣＩを復帰することができ、また、ＳＣＩの状態変化や、システム状態等を、作業員が認識することができる火災報知設備を提供することを目的とするものである。
【課題を解決するための手段】
【０００８】
本発明は、複数系統の伝送線を有する火災受信機と、上記伝送線を介して上記火災受信機と接続され、伝送線の短絡状態を検出するショートサーキットアイソレータとを備えた火災報知設備において、上記ショートサーキットアイソレータは、上記ショートサーキットアイソレータの二次側の伝送線の短絡状態を検出する短絡状態検出手段と、伝送線の短絡状態を検出したときに、上記ショートサーキットアイソレータの二次側の伝送線を切り離す二次側伝送線切り離し手段と、上記ショートサーキットアイソレータの二次側の伝送線の短絡が解消したときに、上記ショートサーキットアイソレータの二次側の伝送線を切り離した状態で、上記二次側の伝送線の短絡が解消したことを示す短絡解消信号を火災受信機に出力する短絡解消信号出力手段とを有し、上記火災受信機は、上記短絡解消信号を受信する短絡解消信号受信手段と、上記短絡解消信号受信手段が上記短絡解消信号を受信すると、上記二次側の伝送線の短絡が解消したことを示すショートサーキットアイソレータ回復表示を行うショートサーキットアイソレータ回復表示手段と、作業員によるスイッチ操作によって、上記ショートサーキットアイソレータが接続されている系統の伝送線を電源遮断および再投入を行うための復帰手段とを有し、上記ショートサーキットアイソレータは、上記復帰手段によって、上記ショートサーキットアイソレータの二次側の伝送線と一次側の伝送線とを接続することを特徴とする火災報知設備である。
【発明の効果】
【０００９】
本発明によれば、作業員を介した火災受信機の操作によって、ＳＣＩを復帰することができ、また、ＳＣＩの状態変化や、システム状態等を、作業員が認識することができるという効果を奏する。
【発明を実施するための最良の形態】
【００１０】
発明を実施するための最良の形態は、以下の実施例である。
【実施例１】
【００１１】
図１は、本発明の実施例１である火災報知設備ＦＡ１のシステム構成を示すブロック図である。
【００１２】
火災報知設備ＦＡ１は、端末機器として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータ１００と、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１３】
また、火災報知設備ＦＡ１は、各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１４】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００１５】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００１６】
ショートサーキットアイソレータ１００は、後段の伝送線２Ｐの短絡発生時に、後段の伝送線２Ｐを切り離す装置であって、後段の伝送線２Ｐの短絡解消時に、短絡解消信号を送信する。そして、短絡が解消しても切り離した状態を維持する。また、火災受信機ＲＥ１による電源遮断および再投入によって、復帰するものもある。
【００１７】
防排煙制御用中継器Ｃ１は、火災受信機ＲＥ１からの制御信号を受信し、接続される防排煙機器ＤＳ１を制御する。火災監視用中継器Ｃ２、Ｃ３は、信号線を介して一般型感知器または火災発信機が接続され、それらからの火災信号（スイッチング動作）を受信して、火災信号を送信する。火災監視用中継器Ｃ２は、自動試験機能付火災感知器を接続することができる。
【００１８】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００１９】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２０】
火災受信機ＲＥ１は、１系統の伝送線１Ｐ、２Ｐを介して、端末機器ＳＥ１〜ＳＥ５、ショートサーキットアイソレータ１００、Ｃ１〜Ｃ８と接続されている。
【００２１】
図２は、実施例１におけるショートサーキットアイソレータ１００を示すブロック図である。
【００２２】
ショートサーキットアイソレータ１００は、一次側の伝送線（正導体１Ｐ、負導体１Ｎ）と二次側の伝送線（正導体２Ｐ、負導体２Ｎ）との間に設けられ、送受信回路１と、確認灯２と、電源回路３と、ＣＰＵ４と、切り離し回路５と、スイッチ６と、切り離し制御部７と、短絡検出部８と、保護回路９、１０とを有する。
【００２３】
切り離し回路５は、抵抗Ｒ１、Ｒ２と、ツェナーダイオードＺＤ１と、ＦＥＴで構成されているスイッチＳＷ１とを有する。
【００２４】
ショートサーキットアイソレータ１００は、ショートサーキットアイソレータ１００の二次側の伝送線２Ｐが短絡したことを短絡検出部８が検出したときに、切り離し制御部７を介して、スイッチＳＷ１を開くことによって、二次側の伝送線２Ｐを、ショートサーキットアイソレータ１００の一次側の伝送線１Ｐから切り離し、また、二次側の伝送線２Ｐが短絡していることを示す短絡信号を、火災受信機ＲＥ１に送信する装置である。
【００２５】
また、ショートサーキットアイソレータ１００は、その二次側の伝送線２Ｐにおける短絡が解消したことを、短絡検出部８が検出したときに、短絡が解消されたことを示す短絡解消信号を送信する。つまり、ショートサーキットアイソレータ１００の二次側の短絡が解消すると、二次側の伝送線２Ｐを切り離した作動状態を保持したまま、ショートサーキットアイソレータ１００の二次側の短絡が解消（回復）したことを示す短絡解消信号を、火災受信機ＲＥ１へ通知する。なお、このスイッチＳＷ１の開状態は、ＣＰＵ４からの制御によって維持される。
【００２６】
そして、ショートサーキットアイソレータ１００の復帰は、火災受信機ＲＥ１の１系統の伝送線１Ｐ、２Ｐの電源遮断および再投入によって行われ、これによって、初期状態に戻り、スイッチＳＷ１を閉じ、二次側の伝送線２Ｐを一次側の伝送線１Ｐに接続する。
【００２７】
火災受信機ＲＥ１は、二次側の伝送線２Ｐが短絡していることを示す短絡信号を受信すると、火災受信機ＲＥ１は、その状態表示として、「ショートサーキットアイソレータ  作動」という表示を行い、この状態で短絡解消信号を受信すると、「ショートサーキットアイソレータ  作動」という表示を、図５に示すように、「ショートサーキットアイソレータ  回復」の表示に切り替える。そして、系統リセットボタン１０２の操作入力によって、短絡している系統をリセットし、系統を正常に戻す。
【００２８】
図３は、実施例１における火災受信機ＲＥ１を示すブロック図である。
【００２９】
火災受信機ＲＥ１は、ＣＰＵ（セントラルプロセッサユニット）２０と、ＲＯＭ３０と、ＲＡＭ４０と、操作部５１と、操作部ＩＦ５２と、データベース６０と、表示部用ドライバ７１と、表示部７２と、送受信部ＬＣ１、ＬＣ２、ＬＣ３、ＬＣ４、…ＬＣ１２（図１の１〜１２系統に対応している）とを有する。
【００３０】
表示部７２は、ＬＣＤであり、操作部５１は、ＬＣＤのタッチパネルである。
送受信部ＬＣ１、ＬＣ２、ＬＣ３、ＬＣ４、…、ＬＣ１２は、伝送線１Ｐ、２Ｐ−１〜１Ｐ、２Ｐ−１２を介して複数の端末機器と信号伝送を行うものである。
【００３１】
第１の送受信部ＬＣ１には、第１の伝送線（回線）１Ｐ、２Ｐ−１が接続され、端末機器ＳＥ１〜ＳＥ５、Ｃ１〜Ｃ８、さらに、ショートサーキットアイソレータ１００が接続されている。
【００３２】
同様に、第２〜１２の送受信部ＬＣ２〜ＬＣ１２には、第２〜１２の伝送線（回線）１Ｐ、２Ｐ−２〜１Ｐ、２Ｐ−１２が接続され、図１には示さないが、端末機器が接続されている。
【００３３】
データベース６０には、回線情報と、端末機器情報とが格納されている。上記回線情報は、系統としての回線番号を示す情報であり、上記端末機器情報は、アドレスであり、棟階地区番号であり、種別（機器の種別）であり、たとえば、アドレス毎に対応して格納してある。
【００３４】
ＣＰＵ２０は、送受信部ＬＣ１〜ＬＣ１２を介して、ポーリングによって端末機器を呼び出し、状態信号を受信する。このときに、ショートサーキットアイソレータ１００から、二次側の伝送線２Ｐが短絡していることを示す短絡信号を受信することによって、ＲＡＭ４０に、そのショートサーキットアイソレータ１００のアドレスを記憶し、ショートサーキットアイソレータ１００が作動した（二次側の伝送線２Ｐの短絡によって、一次側の伝送線１Ｐと二次側の伝送線２Ｐとを切り離した）ことを記憶し、そのアドレス（または棟階地区番号）を表示部７２に表示し、また、二次側の伝送線２Ｐの短絡によって、一次側の伝送線１Ｐと二次側の伝送線２Ｐとを切り離したこと（作動）を表示部７２に表示する。
【００３５】
この状態で、ショートサーキットアイソレータ１００から、火災受信機ＲＥ１が、状態信号として短絡解消信号を受信すると、ＲＡＭ４０に、そのショートサーキットアイソレータ１００のアドレスを記憶し、また、短絡が解消された（回復した）ことを記憶する。そして、図５に示すように、火災受信機ＲＥ１は、ショートサーキットアイソレータ１００が作動している（二次側の伝送線２Ｐの短絡によって、二次側の伝送線を一次側の伝送線から切り離している）ことを示す作動表示を、二次側の伝送線における短絡が解消されたことを示す回復表示に切り替えて表示し、また、これに対応して、リセットスイッチ１０１を表示部７２に表示する。
【００３６】
作業員がリセットスイッチ１０１をオン操作することによって、その系統をリセットするための系統リセットボタン１０２が表示され、この系統リセットボタン１０２が操作されると、この操作された系統がリセットされる。つまり、その系統の伝送線に対して、電源断から、再度電源投入される。
【００３７】
これによって、当該系統のショートサーキットアイソレータ１００は、スイッチＳＷ１が閉の初期状態に戻り、ショートサーキットアイソレータ１００の二次側の端末機器に、電源電圧が供給される。
【００３８】
次に、実施例１の動作について説明する。
【００３９】
ショートサーキットアイソレータ１００は、通常時は、スイッチＳＷ１が閉であり、火災受信機ＲＥ１によって、一次側の伝送線１Ｐから供給されている直流電圧ＤＣ２４Ｖを、二次側の伝送線２Ｐに接続されている端末機器に電源供給する。
【００４０】
短絡検出部８は、二次側の伝送線２Ｐの電圧を計測し、所定の電圧以下であれば、二次側の伝送線２Ｐが短絡していると判別し、この入力によって、切り離し制御部７がスイッチＳＷ１を開き、二次側の伝送線２Ｐを、一次側の伝送線１Ｐから切り離し、また、ＣＰＵ４に短絡信号を出力する。
【００４１】
ＣＰＵ４は、火災受信機ＲＥ１から呼び出され、状態信号を返送する際に、送受信回路１に短絡信号（作動信号）を出力し、火災受信機ＲＥ１に短絡信号（作動信号）が入力される。
【００４２】
また、ショートサーキットアイソレータ１００が作動状態であるときに、二次側の伝送線２Ｐの短絡が解消したか否かを判定するために、ＣＰＵ４から所定期間毎に、スイッチ閉命令が出力され、切り離し制御部７は、スイッチＳＷ１を所定時間のみ閉じる。このときに、短絡検出部８が、短絡していると判別しなければ、短絡検出部８は、ＣＰＵ４に短絡解消信号を出力する。スイッチＳＷ１を所定時間閉じた後は、再度開状態を維持し、ショートサーキットアイソレータ１００自身による自動復帰を行わない。
【００４３】
ＣＰＵ４は、火災受信機ＲＥ１から呼び出され、状態信号を返送する際に、送受信回路１に短絡解消信号を出力し、火災受信機ＲＥ１に短絡解消信号が入力される。
【００４４】
次に、実施例１の火災受信機ＲＥ１の動作について説明する。
【００４５】
図４は、実施例１の火災受信機ＲＥ１の動作を示すフローチャートである。
【００４６】
Ｓ１で、ショートサーキットアイソレータ（ＳＣＩ）１００が作動しているかどうかを判断する。つまり、ポーリングによって、短絡信号を受信したかどうかを判断する。ショートサーキットアイソレータ１００が作動していれば、Ｓ２で、ショートサーキットアイソレータ１００が作動していることを、そのアドレス（または棟階地区番号）と共に、火災受信機ＲＥ１の表示部７２に表示する。
【００４７】
Ｓ３で、ショートサーキットアイソレータ１００が回復したかどうかを判断する。つまり、ポーリングによって短絡解消信号を受信したかどうかを判断し、短絡が解消した（回復した）と判断すれば、Ｓ４で、図５に示すように、ショートサーキットアイソレータ１００が回復したことを、そのアドレス（または棟階地区番号）と共に、火災受信機ＲＥ１の表示部７２に切替表示し、系統リセットボタン１０２を、表示部７２に表示し、Ｓ５で、系統リセット操作を行ったかどうかを判断し、系統リセットボタン１０２を操作すれば、Ｓ６で、系統リセット処理、つまり、その系統の伝送線の電源遮断、および再投入を実施する。
【００４８】
Ｓ７で、ショートサーキットアイソレータ１００による再度の作動（短絡解消後の再度の短絡発生）を検出しているかどうかを判断し、つまり、短絡信号を再度受信したかどうかを判断し、ショートサーキットアイソレータ１００による作動を再度検出すれば、Ｓ８で、Ｓ２と同様の表示を行う。つまり、ショートサーキットアイソレータ１００による作動を、そのアドレス（または棟階地区番号）と共に表示する。また、系統リセットボタン１０２表示を消去する。
【００４９】
ところで、従来例のように、ショートサーキットアイソレータ１００を自動復帰させると、二次側の端末機器（伝送線２Ｐ上の機器）に、一斉に電源供給されるので、端末機器のコンデンサ充電などの影響で、伝送線２Ｐが急激に電圧低下し、火災受信機ＲＥ１が正常な伝送信号を受信できなくなり（伝送異常と判断し）、結果として、システムが正常に立ち上がることができない。
【００５０】
そこで、上記実施例では、上記図４のフローチャートのＳ６において、系統リセット処理を実施する場合、火災受信機ＲＥ１は、その系統リセット入力から、たとえば、伝送線の急激な電圧低下が通常状態に戻るまでの所定時間は、その系統の端末機器と信号伝送を行わず、伝送異常と判断しないようにし、結果として、システムが正常に立ち上がることができる。
【００５１】
上記実施例では、火災受信機ＲＥ１が、ショートサーキットアイソレータ１００の二次側の伝送線２Ｐにおける短絡解消を示す情報を受信したときに、作業員が火災受信機ＲＥ１の系統リセットボタン１０２を操作することによって、ショートサーキットアイソレータ１００を復帰させることができる。
【００５２】
なお、全系統を同時にリセットすると、ショートサーキットアイソレータ１００の二次側の伝送線に短絡が発生していない系統についても、リセット状態になり、リセットが終了するまで、ショートサーキットアイソレータ１００の二次側の伝送線に短絡が発生していない系統を監視することができない。系統毎にリセットすることによって、短絡が発生していない系統については、監視を継続できるようにするために、全系統同時リセットを実行しない。
【００５３】
図５は、実施例１において、ショートサーキットアイソレータ１００の二次側の伝送線２Ｐの短絡が解消された場合に、火災受信機ＲＥ１の表示部７２における画面を示す図である。
【００５４】
上記図４のフローチャートでは説明を省略したが、リセットＳＷ１０１を操作することによって、該当する系統を判別し、該当する系統をリセットする系統リセットボタン１０２を表示する。なお、１個のリセットＳＷ１０１を操作して系統リセットボタン１０２を操作してから、所定時間、つまり、システムが正常に立ち上がるまでは、他のリセットＳＷ１０１を操作無効とする（操作不可）。
【００５５】
上記実施例によれば、作業員を介した火災受信機の操作によって、ショートサーキットアイソレータ１００を復帰することができ、また、ショートサーキットアイソレータ１００の状態変化や、システム状態等を、作業員に確実に確認させることができる。
【００５６】
また、火災受信機ＲＥ１は、ある系統の伝送線を電源遮断および再投入を行ってから、所定時間のみ、その系統の端末機器と伝送を行わないようにするので、システムが正常に立ち上がる。
【図面の簡単な説明】
【００５７】
【図１】本発明の実施例１である火災報知設備ＦＡ１のシステム構成を示すブロック図である。
【図２】実施例１におけるショートサーキットアイソレータ１００を示すブロック図である。
【図３】実施例１における火災受信機ＲＥ１を示すブロック図である。
【図４】実施例１の火災受信機ＲＥ１の動作を示すフローチャートである。
【図５】実施例１において、ショートサーキットアイソレータ１００の二次側の伝送線２Ｐの短絡が解消された場合に、火災受信機ＲＥ１の表示部７２における画面を示す図である。
【符号の説明】
【００５８】
ＦＡ１…火災報知設備、
ＲＥ１…火災受信機、
１００…ショートサーキットアイソレータ、
１Ｐ…ショートサーキットアイソレータ１００の一次側の伝送線、
２Ｐ…ショートサーキットアイソレータ１００の二次側の伝送線、
１…送受信回路、
２…確認灯、
３…電源回路、
４…ＣＰＵ、
５…切り離し回路、
６…スイッチ、
７…切り離し制御部、
８…短絡検出部、
ＳＷ１…スイッチ。
【図１】
0004817375.tif 000002
【図２】
0004817375.tif 000003
【図３】
0004817375.tif 000004
【図４】
0004817375.tif 000005
【図５】
0004817375.tif 000006